(57)【要約】【課題】中継端子台と各加熱コイルとの間を接続する接続線の長さを極力短くでき、ノイズを入り難くできるとともに、接続線の発熱量も抑える。【解決手段】仕切体１６の上面にダクト２０を配置し、ダクト２０の上面側に２個の加熱コイル３０，３１を配置する。加熱コイル３０，３１の外周に防磁部材２４，２５を配置し、仕切体１６の下方に、加熱コイル３０，３１に高周波電流を供給する機能を有する電気回路ユニットを配置する。電気回路ユニットと加熱コイル３０，３１との間を電気的に接続するための中継端子台３９を、隣り合った２個の加熱コイル３０，３１間に配置し、加熱コイル３０，３１の接続線３０ａ，３１ａを、防磁部材２４，２５の開口部２４ａ，２５ａを通してダクト２０の上側で中継端子台３９に接続した。これにより、加熱コイル３０，３１と中継端子台３９との間を接続する接続線３０ａ，３１ａの長さを極力短く設定することができる。【選択図】図２
2011060494.tif 000002
【特許請求の範囲】
【請求項１】
調理容器が載置されるトッププレートと、
このトッププレートの下方に配置され、前記調理容器を誘導加熱する複数個の加熱コイルと、
これら複数個の加熱コイルの下方に配置され、前記加熱コイルに高周波電流を供給する機能を有する電気回路ユニットと、
前記複数個の加熱コイルの外周部にそれぞれ設けられ、対応する加熱コイルの外周を囲む囲い壁を有するとともに、前記囲い壁の一部に開口部を有する環状をなす防磁部材と、
前記電気回路ユニットと前記複数個の加熱コイルとの間を電気的に接続するための中継端子台とを備え、
前記中継端子台を隣り合った前記加熱コイル間に配置し、前記複数個の加熱コイルの各接続線を、前記各防磁部材の前記開口部を通して前記中継端子台に接続したことを特徴とする加熱調理器。
【請求項２】
前記複数個の加熱コイルの下方に設けられたダクトと、
前記複数個の加熱コイルを冷却するための風を送るファン装置とを備え、
前記ダクトには前記加熱コイルに対向する位置に複数の孔が設けられ、
前記ファン装置から送られた風は、前記ダクトの複数の孔から出て上流の前記加熱コイルを冷却した後、前記防磁部材の前記開口部を通り、下流の前記加熱コイルに流れることを特徴とする請求項１記載の加熱調理器。
【請求項３】
前記中継端子台の一部は前記ダクトの上側に位置し、前記複数個の加熱コイルの各接続線を、前記ダクトの上側で前記中継端子台に接続したことを特徴とする請求項２記載の加熱調理器。
【請求項４】
前記ダクトの下方には、前記複数個の加熱コイルと前記電気回路ユニットとの間を上下に仕切るように仕切体が設けられ、
前記仕切体は、前記中継端子台を通すための端子台用開口部と、前記ダクト内に風を送る送風孔を有し、
前記電気回路ユニットの接続線を、前記仕切体の下側で前記中継端子台に接続したことを特徴とする請求項２または３記載の加熱調理器。
【請求項５】
前記仕切体の下方に設けられた加熱庫と、
前記仕切体の下方において前記加熱庫と前記電気回路ユニットとの間を仕切るように設けられた仕切板とを備え、
前記中継端子台を、前記仕切板に固定したことを特徴とする請求項４記載の加熱調理器。
【請求項６】
前記中継端子台に接続された前記複数個の加熱コイルの複数の接続線は、直線的でかつ平行に配置されていることを特徴とする請求項１から５いずれか一項に記載の加熱調理器。
【請求項７】
前記中継端子台において、前記複数個の加熱コイルの複数の接続線が接続された複数のコイル接続部が、前記加熱コイルの接続線の指向方向に対して交差する方向に直線状に並んでいることを特徴とする請求項６記載の加熱調理器。
【発明の詳細な説明】
【技術分野】
【０００１】
本発明は、誘導加熱用の複数の加熱コイルとこれら加熱コイルに高周波電流を供給する機能を有する電気回路ユニットとの間を電気的に接続するための中継端子台を備えた加熱調理器に関する。
【背景技術】
【０００２】
例えば特許文献１には次のような加熱調理器が示されている。調理容器が載置されるトッププレートの下方に、調理容器を誘導加熱する加熱コイルを、例えば２個配設している。これら加熱コイルの下方の一方側に基板ケースを配設し、基板ケース内に、三段に配置された回路基板を有する電気回路ユニットを配設している。電気回路ユニットは、加熱コイルに高周波電流を供給する機能を有している。電気回路ユニットの後方には、電気回路ユニット及び加熱コイルなどを冷却するファン装置を配設している。そして、基板ケースの上部に中継端子台（中継コネクタ部）を設け、この中継端子台と電気回路ユニットの回路基板との間を接続線で電気的に接続するとともに、中継端子台と加熱コイルとの間を接続線で電気的に接続している。
【先行技術文献】
【特許文献】
【０００３】
【特許文献１】特開２００６−３１９４６号公報
【発明の概要】
【発明が解決しようとする課題】
【０００４】
上記した特許文献１の構成のものでは、中継端子台が加熱コイルの後方に配置されているため、中継端子台と各加熱コイルとの間を接続する接続線の長さが長くなる。このため、その接続線にノイズが入り易くなる。また、前記接続線には大電流を流す必要があり、その接続線が長いと、その分電気抵抗も大きくなり、発熱量も大きくなるという問題がある。
【０００５】
本発明は上記した事情に鑑みてなされたものであり、その目的は、中継端子台と各加熱コイルとの間を接続する接続線の長さを極力短くでき、ノイズを入り難くできるとともに、接続線の発熱量も抑えることが可能な加熱調理器を提供するにある。
【課題を解決するための手段】
【０００６】
上記した目的を達成するために、本発明の加熱調理器は、調理容器が載置されるトッププレートと、このトッププレートの下方に配置され、前記調理容器を誘導加熱する複数個の加熱コイルと、これら複数個の加熱コイルの下方に配置され、前記加熱コイルに高周波電流を供給する機能を有する電気回路ユニットと、前記複数個の加熱コイルの外周部にそれぞれ設けられ、対応する加熱コイルの外周を囲む囲い壁を有するとともに、前記囲い壁の一部に開口部を有する環状をなす防磁部材と、前記電気回路ユニットと前記複数個の加熱コイルとの間を電気的に接続するための中継端子台とを備え、前記中継端子台を隣り合った前記加熱コイル間に配置し、前記複数個の加熱コイルの各接続線を、前記各防磁部材の前記開口部を通して前記中継端子台に接続したことを特徴とする。
【発明の効果】
【０００７】
本発明によれば、中継端子台を隣り合った加熱コイル間に配置し、複数個の加熱コイルの各接続線を中継端子台に接続した構成としているので、各加熱コイルと中継端子台との間を接続する接続線の長さを短く設定することができる。
【０００８】
また、各加熱コイルの外周部にそれぞれ設けられた防磁部材は、対応する加熱コイルの外周を囲む囲い壁を有するとともに、囲い壁の一部に開口部を有する形状である。このため、加熱コイルの各接続線を、対応する防磁部材の開口部を通して中継端子台に接続することで、防磁部材の囲い壁が配線の妨げにならず、接続線の長さを短く設定することにさらに有利となる。
【０００９】
従って、本構成によれば各加熱コイルと中継端子台との間を接続する接続線の長さを極力短く設定することができる。このため、それら接続線にノイズを入り難くできるとともに、接続線の発熱量も抑えることが可能となる。
【図面の簡単な説明】
【００１０】
【図１】本発明の第１の実施形態を示した加熱調理器の分解斜視図
【図２】トッププレート組立及び操作パネルユニットを取り外した状態で示す平面図
【図３】図１におけるＸ１−Ｘ１線に相当する部分で切断した状態での縦断正面図
【図４】図１におけるＸ２−Ｘ２線に相当する部分で切断した状態での縦断側面図
【図５】中継端子台の分解斜視図
【図６】本発明の第２の実施形態を示す要部の縦断正面図
【発明を実施するための形態】
【００１１】
（第１の実施形態）
以下、本発明を据え置きタイプの加熱調理器（ＩＨクッキングヒータ）に適用した第１の実施形態について、図１〜図５を参照して説明する。
まず、図１において、加熱調理器の本体１は、上面が開口した矩形箱状をなす本体ケース２と、この本体ケース２の上面に装着されるトッププレート組立３とを備えている。トッププレート組立３は、例えばガラス製のトッププレート４と、このトッププレート４を支持したトッププレート枠５とを備えている。トッププレート４の上面には、図示しない調理容器が載置される。
【００１２】
本体ケース２内の一方側である、前方から見て右側には、後述するファン装置６及び電気回路ユニット７（図３及び図４参照）が配設され、他方側となる左側にはロースタユニット８（本発明の加熱庫に相当）が配設されている。本体ケース２内において、右側のファン装置６及び電気回路ユニット７と左側のロースタユニット８との間には前後方向に延びる仕切板１０が設けられていて、この仕切板１０により本体ケース２内を左右に仕切っている。
【００１３】
ロースタユニット８は、前面が開口したロースタ用ケーシング１１内にロースタ用ヒータ１２（図３参照）が配設されているとともに、扉１３を有した引き出しユニット１４が出し入れ可能に設けられ、その引き出しユニット１４に、受け皿１４ａ（図３参照）及び図示しない焼き網が取り付けられるようになっている。ロースタ用ケーシング１１の後部には、ロースタ用排気口部１５が上向きに設けられている。前記トッププレート枠５の後部には、ロースタ用排気口部１５に連通するロースタ用排気口５ａ（図１に点線で示す）が設けられていて、ロースタ用ケーシング１１内の空気が、ロースタ用排気口部１５及びロースタ用排気口５ａを通して排出されるようになっている。なお、トッププレート枠５の後部には、ロースタ用排気口５ａの左側に位置させて本体排気口５ｂ（これも図１に点線で示す）が形成されている。ロースタ用排気口５ａ及び本体排気口５ｂは、多数の通気孔を有する排気口カバー９により覆われている。
【００１４】
本体ケース２内の上部には、トッププレート４の下方に位置させて仕切体１６が配設されている。この仕切体１６は、前記右側のファン装置６及び電気回路ユニット７と左側のロースタユニット８にまたがった状態で配置されている（図３参照）。仕切体１６は、非磁性の導電材料、例えばアルミニウムにより形成されたもので、外周部に立ち上がった側壁１６ａを枠状に有した浅底の矩形の容器状をなしていて、側壁１６ａの上端部に全周にわたって設けたパッキン１７（図３及び図４参照）を介してトッププレート４の下面に密着させている。ここで、仕切体１６は、トッププレート４の下方の空間を上空間１８と下空間１９とに仕切るように設けられている。また、トッププレート４と仕切体１６との間に形成された上空間１８は、トッププレート４と仕切体１６との間がパッキン１７を介して密閉されるような空間とされている。
【００１５】
仕切体１６の上面にはダクト２０が配置されている。ダクト２０は例えば樹脂の１枚のプレートから形成されたもので、その形状は、左右に並べた２個の円形プレート部２０ａ，２０ｂと、これら円形プレート部２０ａ，２０ｂとの間を繋ぐ矩形プレート部２０ｃから構成されている。ダクト２０の上面は略平面となっており、円形プレート部２０ａには複数の孔２１ａが、円形プレート部２０ｂには、孔２１ａよりやや大きな複数の孔２１ｂが、冷却風の通風孔として設けられている。また、ダクト２０の下面には、立ち下がりのダクト側壁２０ｄが、ダクト２０の外周の全周にわたって一定の肉厚で設けられており、ダクト側壁２０ｄの下面と仕切体１６の上面とが当接している。これにより、仕切体１６の上面とダクト２０の下面との間に有する空間により第１の通気路２３を形成し、この第１の通気路２３内を冷却風が通ることとなる。
【００１６】
仕切体１６内の上空間１８内におけるダクト２０の上面には、複数、この場合２個の誘導加熱用の加熱コイル３０，３１が配設されている。これら加熱コイル３０，３１は、トッププレート４上に載置される調理容器を加熱する加熱手段を構成する。これら加熱コイル３０，３１は、それぞれコイルベース３２に支持された状態で、ダクト２０の上面に固定されたコイル支柱２２の上に配置されている。これにより、加熱コイル３０，３１とダクト２０の上面との間には、それぞれ第２の通気路３３，第３の通気路３４が形成されている。これら第２の通気路３３及び第３の通気路３４にはファン装置６からの冷却風が流れ各加熱コイル３０，３１を冷却する。
また、各加熱コイル３０，３１のコイルベース３２の中央部には、温度センサ３５が設けられている。温度センサ３５は、トッププレート４上に載置される調理容器の温度を検出するためのものである。
【００１７】
ダクト２０の上面には、２個の防磁部材２４，２５が加熱コイル３０，３１のそれぞれの外周部に対応して配置されている。防磁部材２４，２５は、非磁性の導電材料、例えばアルミニウムにより形成されたもので、円環状の薄板の外周に沿って、加熱コイル３０，３１の厚さと同程度の高さの囲い壁を有しており、その囲い壁により対応する加熱コイル３０，３１の外周を囲う形態となっている。各防磁部材２４，２５の囲い壁の一部に、それぞれ開口部２４ａ及び２５ａが形成されている。開口部２４ａ，２５ａは、それぞれの上端が開放した切欠き部により形成されていて、対応する加熱コイル３０，３１の接続線３０ａ，３１ａが干渉無く通る程度の幅で開口している。また、開口部２４ａ，２５ａは、加熱コイル３０，３１の前後方向の中心からそれぞれ前後にずれて位置している。
【００１８】
図１及び図２において、仕切体１６の右前部には、ダクト２０の右側の円形プレート部２０ａの下方に位置させて、開口部からなる連通部３６（本発明の送風孔に相当）が２個形成されている（図２に破線で示す）。また、仕切体１６の左後部には、ダクト２０の左側の円形プレート部２０ｂの後方に位置させて、開口部からなる排気口３７が形成されている。
【００１９】
仕切体１６の中央部には、左右の加熱コイル３０，３１間に位置させて、端子台用開口部３８（図３参照）が形成されている。さらに、ダクト２０の矩形プレート部２０ｃにおいて、端子台用開口部３８と対向する位置に、端子台挿通部２１ｃが開口して形成されている。端子台用開口部３８及び端子台挿通部２１ｃには、中継端子台３９の上部の一部が挿入されるようになっていて、その端子台用開口部３８及び端子台挿通部２１ｃの開口は、中継端子台３９によって閉鎖される。中継端子台３９は、前記仕切板１０の上端部にあって、前後方向の中央部に固定されている。中継端子台３９は、電気回路ユニット７と、加熱コイル３０，３１との間を電気的に接続するためのものである。この中継端子台３９部分の詳細については後述する。
【００２０】
仕切体１６の前方には、スイッチからなる操作部４０や表示部４１などを備えた操作パネルユニット４２が設けられている。操作パネルユニット４２は、トッププレート枠５の前部に設けられたカバー部４２ａにてカバーされている。
【００２１】
次に、電気回路ユニット７及びファン装置６側の構成について、図３、図４も参照して説明する。電気回路ユニット７とファン装置６は、基板ケース４５に設けられている。基板ケース４５は、本体ケース２の下空間１９における仕切板１０の右側に配置されている。この基板ケース４５内の底部には、一枚のプリント基板からなる回路基板４６が収容配置されている。この回路基板４６に、電気部品１００を実装することにより、電気回路ユニット７が構成されている。電気回路ユニット７は、前記加熱コイル３０，３１に高周波電流を供給するインバータを備えている。回路基板４６には、図示はしないが、マイクロコンピュータを含む制御装置（制御手段）も設けられている。
【００２２】
本体ケース２内の右後部には、本体ケース２，仕切体１６及び後述するファンケーシング５２のそれぞれの面によって空間が形成されており、この空間が冷却風を通す第１の吸気ダクト４７（図１及び図４参照）となる。また、本体ケース２の右側背面には、複数の小孔からなる第１の吸気口４８が設けられており、外部の空気は第１の吸気口４８を通り第１の吸気ダクト４７内に取り込まれる。ここで、第１の吸気口４８を本体ケース２の背面に設けることで、本体ケース２内に水等の侵入を極力防止することができる。
【００２３】
基板ケース４５の後部の上部に、前記回路基板４６の上方に位置させてファン装置６が取り付けられている。このファン装置６は、縦軸型の遠心ファンからなる冷却ファン５０と、この冷却ファン５０を回転駆動するモータ５１と、冷却ファン５０を囲繞するファンケーシング５２とを備えている。モータ５１は、ファンケーシング５２の上部にねじ５２ａにより取り付けられていて、回転軸５１ａを下に向けている。ファンケーシング５２の上面と前記仕切体１６の下面との間は離間している。ファンケーシング５２の吐出口５３は前方に向けられていて、その吐出口５３の上部の先端部５３ａは、上に向けられて、仕切体１６の下面に当接している。冷却ファン５０は、これの回転軸となるモータ５１の回転軸５１ａが前記第１の吸気口４８よりも前方に位置していて、右側の加熱コイル３０の下方にまで臨む大きさに構成されている。
【００２４】
ファンケーシング５２の上部には、モータ５１の外形よりも大きな開口部である上部吸込口５４が形成されている。この上部吸込口５４は、ファンケーシング５２内と、第１の吸気ダクト４７とを連通している。ここで、冷却ファン５０がモータ５１により回転駆動された際に、第１の吸気口４８から第１の吸気ダクト４７を通して上部吸込口５４へ吸い込まれる外気（冷却風）が通る経路を第１の吸気経路５５（図４の矢印Ａ１参照）としている。
【００２５】
前記ファンケーシング５２の下部には、前記上部吸込口５４の下方に対応する部位に位置させて下部吸込口５６が形成されている。この場合、ファン装置６は、下端部６ａが基板ケース４５の底部４５ａに対して上方に離間した状態で基板ケース４５に取り付けられていて、ファン装置６の下端部６ａと基板ケース４５の底部４５ａとの間に回路基板４６が配置された形態となっている。
【００２６】
基板ケース４５の前下部の左右方向の中央部には、前後方向に延びる第１の送風ダクト５７（図４参照）が設けられ、基板ケース４５の前部の上部には、第１の送風ダクト５７の上方に位置させて第２の送風ダクト５８（図１及び図４参照）が設けられている。このうち、第１の送風ダクト５７の後部は前記ファンケーシング５２の吐出口５３の下部に連通し、前部は開口している。第１の送風ダクト５７の後部の下部には、案内板５９が設けられている。この案内板５９の上部の後端部は、ファンケーシング５２の吐出口５３の先端部下部に連なり、案内板５９の前部の下端部は、回路基板４６の上面に当接している。この場合、ファンケーシング５２の吐出口５３から吐出された冷却風の一部は、第１の送風ダクト５７を通って前方へ流れる（図４の矢印Ｂ１参照）。
【００２７】
図４に示すように、回路基板４６において、第１の送風ダクト５７内に位置する部分には電気部品１００の中でも特に発熱量が多いインバータのスイッチング素子（例えばＩＧＢＴ）１００ａ及び放熱部材１００ｂが配置されている。したがって、第１の送風ダクト５７内を通る冷却風によって、これらスイッチング素子（例えばＩＧＢＴ）１００ａ及び放熱部材１００ｂが冷却されるようになっている。
【００２８】
前記第２の送風ダクト５８の後部はファンケーシング５２の吐出口５３の上部に連通しており、前部は前記仕切体１６の連通部３６に連通している。第２の送風ダクト５８の底面５８ａは、後部から連通部３６に向けて高くなるような傾斜面とされている。この場合、ファンケーシング５２の吐出口５３から吐出された冷却風の一部は、第２の送風ダクト５８を通って連通部３６へ案内される（図４の矢印Ｂ２参照）。第１の送風ダクト５７と第２の送風ダクト５８との間の後部の仕切部分を分流板部６０としていて、この分流板部６０により、ファンケーシング５２の吐出口５３から吐出された冷却風を、第１の送風ダクト５７側と第２の送風ダクト５８側とに分けられるようになっている。
【００２９】
なお、基板ケース４５の下部には、詳細には示されていないが、第１の送風ダクト５７及び案内板５９とは区切られた状態で第２の吸気経路６１（図３及び図４参照）が形成されている。この第２の吸気経路６１は、後部がファンケーシング５２の下部吸込口５６に連通し、前部は、図２に示すように、本体ケース２の底部に形成された第２の吸気口６２を介して機外と連通している。回路基板４６において、前記第１の送風ダクト５７の外側及びファンケーシング５２の下方に対応する部分には、電気部品１００のうち、発熱量が比較的少ない電気部品１００が配置されている。これらの電気部品１００は、ファン装置６の駆動時に、外気が第２の吸気口６２から第２の吸気経路６１を通り、下部吸込口５６からファンケーシング５２内へ吸い込まれる冷却風（図４の矢印Ａ２参照）によって冷却されるようになっている。
【００３０】
基板ケース４５の前部と本体ケース２の前部の背面との間には、図１に示すように、上から見てＬ字形をなす補助板６３が設けられていて、この補助板６３と、基板ケース４５の前部と、本体ケース２の前壁と、前記仕切板１０の前部とにより補助ダクト６４を形成している。補助ダクト６４の下部は、前記第１の送風ダクト５７の前面開口部と連通していて、第１の送風ダクト５７を通った冷却風がこの補助ダクト６４に排出される。仕切板１０の前部には、図４に示すように矩形状の孔からなる通気口６５が２個形成されていて、補助ダクト６４内を通った冷却風が左側のロースタユニット８側へ案内されるようになっている（図２及び図４の矢印Ｂ３参照）。
【００３１】
なお、本体ケース２の前面の右部には、化粧カバー６６が装着されている。
次に、前記中継端子台３９部分の構成について、図５も参照して説明する。図５に示すように、中継端子台３９は、端子台ベース７０と、４枚の端子板７１と、端子台カバー７２とから構成されている。このうち、端子台ベース７０と端子台カバー７２は、電気絶縁材にて形成されている。端子板７１は、導電性を有する非磁性材料、この場合銅板にて形成されている。
【００３２】
端子台ベース７０には、端子板７１を配置するための端子板配置部７３が４箇所形成されている。４箇所の端子板配置部７３はそれぞれ左右方向に平行に延びていて、各端子板配置部７３において、左右方向の中央部よりやや右寄りの部位に第１の段部７３ａが形成されており、この第１の段部７３ａは右側が左側より低くなるように形成されている。各端子板配置部７３において、左右方向の中央部より左側の部位には大きく立ち上がった第２の段部７３ｃが形成されており、この第２の段部７３ｃは左側が右側より高くなるように形成されている。また、各端子板配置部７３には、端子板７１の厚さより突出寸法が大きな突条部７４が形成されている。各端子板配置部７３において、右端部７３ｂ及び左端部７３ｄの周りの突条部７４は、他の部分よりも高く形成されている。
【００３３】
４箇所の端子板配置部７３のうち、後側の２箇所の端子板配置部７３における左端部７３ｄの左端は、突条部７４と同じ高さの閉鎖部７４ａにて閉鎖されている。突条部７４には、各端子板配置部７３の長手方向の中間部に位置させて、凸状の係合部７４ｂが形成されている。端子台ベース７０の前後両側部において、前記段部７３ａの近傍に位置させて取付部７５が設けられている。各取付部７５には、取付穴７５ａが形成されている。
【００３４】
前記４枚の各端子板７１は、それぞれ端子板配置部７３に対応した形状に形成されていて、右端部に、取付孔７６ａが形成された第１の接続部７６を有し、左端部にも、取付孔７７ａが形成された第２の接続部７７を有している。各端子板７１は、第１の接続部７６を端子板配置部７３の右端部７３ｂに配置するとともに、第２の接続部７７を端子板配置部７３の左端部７３ｄに配置する状態で、端子板配置部７３に収容配置されている。このとき、各端子板７１の両側部には凹状の被係合部７１ａが形成されていて、これら被係合部７１ａが、前記端子板配置部７３の係合部７４ｂに係合する。第１の接続部７６の右端部７６ｂは、下向きに折り曲げられていて、その右端部７６ｂが、端子配置部７３の右端部７３ｂの上面に当接している。また、第２の接続部７７は、下側が開口した逆Ｌ字形に折り曲げられていて、その下向きの左端部７７ｂは、端子配置部７３の左端部７３ｄの上面に当接している。
【００３５】
図３に示すように、各端子板７１の第１の接続部７６には、電気回路ユニット７における回路基板４６に一端部が接続された電気回路ユニット７側の接続線８０（図３には１本のみ示す）の他端部８０ａをねじ８１によりそれぞれ接続している。各ねじ８１は、第１の接続部７６の取付孔７６ａに螺合させている。
【００３６】
前記端子台カバー７２は、右部に平板状の第１のカバー部８２を有し、左部には、第１のカバー部８２よりも高い位置に、平板状の第２のカバー部８３を有している。端子台カバー７２の前後両側部において、第１のカバー部８２と第２のカバー部８３の境界部の近傍に位置させて、ねじ挿通孔８５ａを有する取付部８５が設けられている。
【００３７】
この場合、端子台ベース７０の各端子板配置部７３に、位置決め手段としての係合部７４ｂ、被係合部７１ａの凸凹を嵌め合わせて、端子板７１を位置決めして配置する。そして、各端子板７１の第１の接続部７６に電気回路ユニット７側の接続線８０をそれぞれ接続した状態で、端子板７１の上から端子台カバー７２を被せ、第１のカバー部８２にて各端子板７１の第１の接続部７６と電気回路ユニット７側の接続線８０との接続部分を上方から覆うとともに、第２のカバー部８３にて各端子板７１の中央部分を上方から覆う状態とする。そして、端子台カバー７２における各取付部８５のねじ挿通孔８５ａに挿通したねじ（図示せず）を、端子台ベース７０における各取付部７５の取付穴７５ａにねじ込むことにより、端子台カバー７２を端子台ベース７０に取付固定する。このとき、各端子板７１における左側の第２の接続部７７部分は、端子台カバー７２から外れていて、露出することになる（図２及び図３参照）。
【００３８】
そして、本体ケース２の上面に仕切体１６を配置する際に、図３に示すように、端子台用開口部３８に、中継端子台３９における端子台カバー７２の第２のカバー部８３及び端子台ベース７０の左端部が挿入されるように、仕切体１６を配置する。これにより、本体ケース２の上面に仕切体１６を配置した状態で、中継端子台３９における端子台カバー７２の第２のカバー部８３及び４枚の端子板７１における左側の第２の接続部７７が、端子台用開口部３８から仕切体１６の上面側に露出するようになる。
【００３９】
さらに、中継端子台３９における端子台ベース７０の左端部７３ｄ及び左端部７３ｄに収容された端子板７１における第２の接続部７７を、仕切体１６の上面に配置されたダクト２０の端子台挿通部２１ｃに挿通させる。これにより、仕切体１６の上面にダクト２０を配置した状態で、加熱コイル３０，３１の各接続線３０ａ，３１ａと中継端子台３９との接続部である第２の接続部７７を、ダクト２０の上面側に露出させることができる。
【００４０】
このとき、中継端子台３９の右側となる、端子台カバー７２の右側の第１のカバー部８２、端子板７１の右側の第１の接続部７６、端子台ベース７０の右端部７３ｄは、仕切体１６の下側に位置され、第１の接続部７６と前記電気回路ユニット７側の接続線８０との接続部分は仕切体１６の下側に配置されることになる。ここで、中継端子台３９は、隣り合った２個の加熱コイル３０，３１の間に配置されている。
【００４１】
そして、図２に示すように、左右２個の加熱コイル３０，３１のうち、左側の加熱コイル３１の２本の接続線３１ａは、左側の防磁部材２５の開口部２５ａを通してそれぞれ右向きに引き出され、各接続線３１ａの先端部を、仕切体１６の上面側であってダクト２０の上面側に配置された、前側の２個の端子板７１の第２の接続部７７にそれぞれねじ８６により接続している。また、右側の加熱コイル３０の２本の接続線３０ａは、右側の防磁部材２４の開口部２４ａを通してそれぞれ左向きに引き出され、各接続線３０ａの先端部を、仕切体１６の上面側であってダクト２０の上面側に配置された、後側の２個の端子板７１の第２の接続部７７にそれぞれねじ８６により接続している。これにより、仕切体１６の下面側に位置する電気回路ユニット７側の接続線８０と、仕切体１６の上面側であってダクト２０の上面側に位置する２個の加熱コイル３０，３１の各接続線３０ａ，３１ａとが、中継端子台３９の端子板７１を介して電気的に接続されている。
【００４２】
この場合、中継端子台３９の端子板７１に接続された２個の加熱コイル３０，３１の４本の接続線３０ａ，３１ａは、直線的でかつ平行に配置されている。また、中継端子台３９において、加熱コイル３０，３１の４本の接続線３０ａ，３１ａを接続した４個のねじ８６は、加熱コイル３０，３１の接続線３０ａ，３１ａの指向方向である左右方向に対して交差、この場合直交する方向である前後方向に直線的に並んでいる。これら４個のねじ８６は、本発明において、加熱コイル３０，３１の接続線３０ａ，３１ａが中継端子台３９の端子板７１に接続されたコイル接続部に相当する。
【００４３】
次に上記構成の作用を説明する。ここでは、特にファン装置６による冷却風の流れを中心に説明する。加熱コイル３０，３１の一方、または両方を用いて加熱調理を行う場合、トッププレート４上の所定の位置に調理容器を載置した状態で、使用者が操作パネルユニット４２の操作部４０を操作する。すると、制御装置は、その操作及び予め備えた制御プログラムに基づき、インバータ回路のスイッチング素子１００ａを制御して加熱コイル３０，３１を制御するとともに、ファン装置６のモータ５１を制御する。このうち、スイッチング素子１００aを制御することに基づき加熱コイル３０，３１に高周波電流が供給されて高周波磁界が発生し、調理容器に電流が誘導されてジュール熱による加熱調理が行なわれる。このとき、各加熱コイル３０，３１の外周部には防磁部材２４，２５が設けられているので、加熱コイル３０，３１から発生する磁力線が防磁部材２４，２５の外側へ漏れることを極力防止することができる。また、このとき、使用される加熱コイル３０，３１が発熱するとともに、電気回路ユニット７における回路基板４６の電気部品１００も発熱するので、これらを冷却する必要がある。
【００４４】
ファン装置６のモータ５１により冷却ファン５０が回転駆動されると、その冷却ファン５０の送風作用により、本体１外の空気（外気）が、本体１の右側背面に設けられた第１の吸気口４８から第１の吸気ダクト４７内へ吸い込まれるとともに、本体ケース２の前部の底壁部の第２の吸気口６２からも本体１内へ吸い込まれる。
このうち、第１の吸気口４８から第１の吸気ダクト４７内へ吸い込まれた外気（冷却風）は、主に図４の矢印Ａ１で示すように第１の吸気経路５５を通り、ファンケーシング５２の上部吸込口５４からファンケーシング５２内に吸い込まれる。
【００４５】
一方、第２の吸気口６２から本体ケース２内へ吸い込まれた外気（冷却風）は、図４に矢印Ａ２で示すように、第２の吸気経路６１を通って、ファンケーシング５２の下部吸込口５６からファンケーシング５２内へ吸い込まれる。この第２の吸気経路６１内を通る冷却風により、回路基板４６上の電気部品１００が冷却される。
【００４６】
そして、ファンケーシング５２内に吸い込まれた空気は、吐出口５３から前方に向けて吐出される。吐出口５３から吐出された冷却風は、分流板部６０により下部側の第１の送風ダクト５７側と上部側の第２の送風ダクト５８側とに分けられる。このうち、第１の送風ダクト５７側に送られた冷却風は、図４に矢印Ｂ１で示すように、第１の送風ダクト５７内を前方に向けて流れる。この第１の送風ダクト５７内を流れる冷却風により、左右両側に配置されたスイッチング素子１００ａ及びこれの放熱部材１００ｂが冷却される。
【００４７】
第１の送風ダクト５７を通った冷却風は、補助ダクト６４側へ出る。補助ダクト６４へ出た冷却風は、仕切板１０の前部の通気口６５から左側のロースタユニット８側へ流れる（図４の矢印Ｂ３参照）。ロースタ用ケーシング１１の上面前部は他の部分よりやや低くなっており、ロースタユニット８側へ流れた冷却風は、図２に矢印Ｂ４で示すように、ロースタ用ケーシング１１の上面前部と操作パネルユニット４２との間を右から左へ向けて流れた後、ロースタ用ケーシング１１左側面と本体ケース２の左側壁の内面との間を後方へ向けて流れ、最終的に、トッププレート枠５の後部の本体排気口５ｂから機外へ排出される（図２の矢印Ｂ５参照）。このとき、ロースタ用ケーシング１１の周りを冷却風が流れることにより、当該ロースタ用ケーシング１１を冷却することができる。また、操作パネルユニット４２とロースタ用ケーシング１１との間を冷却風が通過することにより、ロースタ用ケーシング１１の熱が操作パネルユニット４２に悪影響を及ぼすことを極力防止することができる。
【００４８】
また、前記ファンケーシング５２の吐出口５３から第２の送風ダクト５８側へ吐出された冷却風は、図４の矢印Ｂ２で示すように連通部３６から、上空間１８における仕切体１６とダクト２０との間に形成された第１の通気路２３内に入る。
【００４９】
第１の通気路２３内に入った冷却風の一部は、図２及び図３の矢印Ｃ１で示すように、ダクト２０の上流側である円形プレート部２０ａに設けられた複数の孔２１ａから、ダクト２０の上側の、加熱コイル３０とダクト２０の円形プレート部２０ａの間に形成された第２の通気路３３内に入る。第２の通気路３３内に入った冷却風は、図２及び図３の矢印Ｃ２で示すように、加熱コイル３０の下面に沿って流れる冷却風と、加熱コイル３０の配線の隙間などから加熱コイル３０の上面に漏れ出て、加熱コイル３０の上面に沿って流れる冷却風とに分かれて流れる。このとき、加熱コイル３０の上下面に分かれて流れる冷却風は、冷却風が加熱コイル３０の上下面を分かれて流れることによって、加熱コイル３０を効率よく冷却することができる。
【００５０】
加熱コイル３０の上下面に分かれて流れ、加熱コイル３０を冷却した冷却風は、加熱コイル３０の周囲を囲うようにして配置した防磁部材２４の囲い壁によって周囲への拡散を阻まれながら防磁部材２４の囲い壁に沿って流れた後、防磁部材２４の囲い壁に設けられた開口部２４ａから下流側（図２及び図３で左側）へと流れ出る。そして、防磁部材２４の囲い壁に設けられた開口部２４ａから流れ出た冷却風は、加熱コイル３０，３１の接続線３０ａ，３１ａを冷却しながら下流側の防磁部材２５の囲い壁に設けられた開口部２５ａから第３の通気路３４に入る。
【００５１】
また、前記第１の通気路３３内に入った冷却風の残りは、図２及び図３の矢印Ｃ３で示すようにダクト２０の下面に沿って、上流側の円形プレート部２０ａから矩形プレート部２０ｃを経て下流側の円形プレート部２０ｂへと流れる。円形プレート部２０ｂの下面に達した冷却風は、ダクト２０の立ち下がりのダクト側壁２０ｄによって周囲への拡散を阻まれるため、円形プレート部２０ｂに設けられた孔２１ｂから、ダクト２０の上側である、加熱コイル３１とダクト２０の円形プレート２０ｂとの間に形成された第３の通気路３４内に入る。第３の通気路３４内に入った冷却風は、加熱コイル３１を冷却しながら、加熱コイル３１の隙間などから上方へ抜けて行く。
【００５２】
この場合、ダクト２０の円形プレート部２０ｂの孔２１ｂは、円形プレート部２０ａの孔２１ａに比べ大きく設けているため、孔２１ｂから加熱コイル３１の上方へ抜けていく冷却風はダクト２０上面を通る冷却風より多くなる。このため、孔２１ｂから出て加熱コイル３１の上方へ向かう冷却風が、防磁部材２５の囲い壁に設けられた開口部２５ａから入ってきた冷却風を引き寄せて流れ、左後部の排気口３７から仕切体１６の下側へ排出される。
これにより、左側の加熱コイル３０も右側の加熱コイル３１も効率よく冷却される。さらに、左右の加熱コイル３０，３１にあって中継端子台３９に接続された各接続線３０ａ，３１ａも、その冷却風によって冷却される。
【００５３】
また、このとき、加熱コイル３０，３１が収容された上空間１８は、トッププレート４と仕切体１６との間が密閉されるような空間に構成されているから、加熱コイル３０，３１を冷却すべく上空間１８内に入り込んだ冷却風の漏れを極力防止でき、その冷却風を加熱コイル３０，３１の冷却に有効に作用させることができる。また、下方の電気回路ユニット７の電気部品１００の特にスイッチング素子１００ａ及び放熱部材１００ｂを冷却して熱くなった風が上空間１８内に入り込むことも極力防止できる。
【００５４】
仕切体１６後部の排気口３７から仕切体１６の下側へ排出された冷却風は、電気回路ユニット７の電気部品１００を冷却した冷却風とともに、本体１後部の本体排気口５ｂから機外へ排出される（矢印Ｂ５参照）。
【００５５】
上記した実施形態によれば、次のような作用効果を得ることができる。
電気回路ユニット７と２個の加熱コイル３０，３１との間を電気的に接続するための中継端子台３９を、隣り合った加熱コイル３０，３１間に配置し、２個の加熱コイル３０，３１の各接続線３０ａ，３１ａを中継端子台３９の端子板７１に接続した構成としている。この構成によれば、各加熱コイル３０，３１と中継端子台３９との間を接続する接続線３０ａ，３１ａの長さを極力短く設定することができるので、接続線３０ａ，３１ａにノイズを入り難くできるとともに、接続線３０ａ，３１ａの発熱量も抑えることが可能となる。
【００５６】
加熱コイル３０，３１の接続線３０ａ，３１ａを、各加熱コイル３０，３１の外周を囲む防磁部材２４，２５の囲い壁の一部に設けた開口部２４ａ，２５ａを通して接続端子台３９に接続している。このため、加熱コイル３０，３１の外周を防磁部材２４，２５で囲う構成としても、防磁部材２４，２５の囲い壁が接続線３０ａ，３１ａの配線の妨げとならず、接続線３０ａ，３１ａの長さを短く設定することにさらに有利となる。この構成によれば、接続線３０ａ，３１ａの長さを極力短く設定することができるので、接続線３０ａ，３１ａにノイズを入り難くできるとともに、接続線３０ａ，３１ａの発熱量も抑えることが可能となる。
【００５７】
２個の加熱コイル３０，３１の下方にダクト２０を設け、ダクト２０には加熱コイル３０，３１と対向する位置に冷却風を通す複数の孔２１ａ，２１ｂを設けた。ファン装置６から送られた冷却風の一部は、ダクト２０の円形プレート部２０ａに設けた複数の孔２１ａからダクト２０の上方に出て、上流側の加熱コイル３０の上下面に沿って流れた後、上流側の防磁部材２４の開口部２４ａから出て接続線３０ａ，３１ａに沿って流れ、さらに下流側の防磁部材２５の開口部２５ａから加熱コイル３１側へと入り、下流側の加熱コイル３１の上下面に沿って流れた後、排気口３７から排出される。また、孔２１ａを通らなかった冷却風は、ダクト２０の下面に沿ってダクト２０の円形プレート部２０ｂの下面まで流れ、円形プレート部２０ｂに設けた複数の孔２１ｂからダクト２０の上方に出て下流側の加熱コイル３１を冷却した後、排気口３７から排出される構成とした。この構成によれば、ファン装置６からの冷却風が加熱コイル３０，３１だけでなく加熱コイルの接続線３０ａ，３１ａをも効率良く冷却することができる。これにより、接続線３０ａ，３１ａの発熱量を抑えることが可能である。
【００５８】
また、中継端子台３９の一部をダクト２０の上側に位置させ、各加熱コイル３０，３１の接続線３０ａ，３１ａをダクト２０の上側で中継端子台３９に接続する構成とした。この構成によれば、各加熱コイル３０，３１と中継端子台３９との間を接続する接続線３０ａ，３１ａの長さを極力短く設定することができるので、接続線３０ａ，３１ａにノイズを入り難くできるとともに、接続線３０ａ，３１ａの発熱量も抑えることが可能となる。
【００５９】
２個の加熱コイル３０，３１と下方の電気回路ユニット７との間を上下に仕切るように設けられた仕切体１６は前記中継端子台３９を通すための端子台用開口部３８を有し、電気回路ユニット７の接続線８０を、仕切体１６の下側で中継端子台３９の端子板７１に接続する構成とした。これにより、電気回路ユニット７と中継端子台３９との間を接続する接続線８０の長さも極力短く設定することができる。このため、それら接続線８０にノイズを入り難くできるとともに、接続線８０の発熱量も抑えることが可能となる。
【００６０】
前記仕切体１６の下方において左側のロースタユニット８と右側の電気回路ユニット７との間を左右に仕切るように設けられた仕切板１０を備え、前記中継端子台３９をその仕切板１０の上端部に固定する構成とした。この構成によれば、仕切板１０の上端部が上方の仕切体１６に接する構成となり、仕切板１０を、中継端子台３９の固定に有効に利用することができる。
【００６１】
また、この場合、電気回路ユニット７の接続線８０を中継端子台３９の端子板７１に接続した後、端子台カバー７２を被せて固定し、この後、本体ケース２の上面に仕切体１６を配置して固定し、さらに、仕切体１６の上面にダクト２０を配置して固定する。この後、加熱コイル３０，３１の接続線３０ａ，３１ａを端子板７１に接続することで、電気回路ユニット７と加熱コイル３０，３１との間を電気的に接続することができる。したがって、電気回路ユニット７と加熱コイル３０，３１との間を電気的に接続するのに、下から順に組み立てることが可能で、組み立て易く、しかも、仕切体１６及びダクト２０に接続線を貫通させる必要がない利点がある。
【００６２】
中継端子台３９に接続された２個の加熱コイル３０，３１の４本の接続線３０ａ，３１ａは、直線的でかつ平行に配置されている。この構成によれば、中継端子台３９に接続する４本の接続線３０ａ，３１ａを最短距離で配線でき、それら接続線３０ａ，３１ａにノイズが一層入り難くできるとともに、接続線３０ａ，３１ａの発熱量も一層抑えることが可能となる
中継端子台３９において、２個の加熱コイル３０，３１の４本の接続線３０ａ，３１ａが接続された４個のコイル接続部（ねじ８６）が、加熱コイル３０，３１の接続線３０ａ，３１ａの指向方向に対して直交する方向に直線状に並んでいる。この構成によれば、中継端子台３９を簡単な構成にできるとともに、加熱コイル３０，３１の４本の接続線３０ａ，３１ａの接続作業を容易に行うことができる利点がある。
【００６３】
ダクト２０の上面には、加熱コイル３０，３１のそれぞれの外周を囲む防磁部材２４，２５が配置されている。この防磁部材２４，２５は非磁性の導電材料、例えばアルミニウムから形成されており、加熱コイル３０，３１の厚さと同程度の高さの囲い壁を有して、加熱コイル３０，３１の外周を囲う構成としている。この構成によれば、加熱コイル３０，３１から空中に発する磁力線が防磁部材２４，２５の外側へ漏れることを極力防止することができる。
【００６４】
中継端子台３９は、端子台ベース７０と、この端子台ベース７０上に配置され電気回路ユニット７の接続線８０が接続されるとともに加熱コイル３０，３１の接続線３０ａ，３１ａが接続される４個の端子板７１と、これら４個の端子板７１と電気回路ユニット７の接続線８０との接続部分を上から覆うように設けられた端子台カバー７２とを備えた構成としている。この構成によれば、４個の端子板７１と電気回路ユニット７の接続線８０との接続部分を端子台カバー７２で覆うことで、電気的絶縁効果を確保することができる。
【００６５】
中継端子台３９の端子板７１は、導電性を有する非磁性材料、この場合銅板にて形成されているので、加熱コイル３０，３１の近くに配置されていても、加熱コイル３０，３１による誘導加熱で発熱することがない。
また、防磁部材２４，２５も同様に、導電性を有する非磁性材料、この場合アルミニウムにて形成されているので、加熱コイル３０，３１の近くに配置されていても、加熱コイル３０，３１による誘導加熱で発熱することを極力抑えることができる。
【００６６】
（第２の実施形態）
図６は本発明の第２の実施形態を示したものであり、この第２の実施形態は、上記した第１の実施形態とは次の点が異なっている。
すなわち、中継端子台３９における端子台カバー７２において、第２のカバー部８３における第１のカバー部８２寄りの挟持部８３ａでは、端子板７１を上から押さえ付けていて、この挟持部８３ａと端子台ベース７０の端子配置部８３の上面との間で端子板７１の中央部を挟持している。そして、第２のカバー部７３の先端部側の離間部８３ｂは、端子板７１から上方へ離間していて、この離間部８３ｂと端子板７１との間に隙間９０が形成されている。
【００６７】
また、端子板７１の左側の第２の接続部７７の左端部７７ｂは、下向きに折り曲げられているが、端子配置部７３の上面から上方へ離間していて、この左端部７７ｂと、端子配置部７３における左端部７３ｄの上面との間にも隙間９１が形成されている。したがって、端子板７１の第２の接続部７７側は、挟持部８３ａを支点にして上下方向への弾性変形が可能となっている。
【００６８】
上記構成においては、組み立ての際等に加熱コイル３０，３１の接続線３０ａ，３１ａが上下方向へ動いたとしても、端子板７１の第２の接続部７７側が、前記弾性変形によりその動きに追従できるので、接続線３０ａ，３１ａの上下方向の動きが、電気回路ユニット７の接続線８０、ひいては回路基板４６側に悪影響を及ぼすことを防止することができる。
【００６９】
（その他の実施形態）
本発明は、上記した実施形態にのみ限定されるものではなく、次のように変形または拡張できる。
加熱コイル３０，３１は、２個に限られず、３個以上の場合にも適用できる。また、加熱手段として、加熱コイル３０，３１の他に電気ヒータ（例えば、ラジエントヒータ）を設けたものにも適用できる。
【００７０】
防磁部材２４，２５は、円環状に限られず、矩形や楕円形状としてもよい。また、防磁部材２４，２５に設けられる開口部２４ａ，２５ａは、切欠き部に代えて孔で構成してもよい。
さらに、ダクト２０は、円形プレート部２０ａ，２０ｂと、これら円形プレート部２０ａ，２０ｂとの間を繋ぐ矩形プレート部２０ｃから構成されているが、１枚の矩形や楕円形のプレートから構成してもよい。
【００７１】
そのほか、本発明は上記しかつ図面に示した実施例にのみ限定されるものではなく、要旨を逸脱しない範囲内で適宜変更して実施し得る。
【符号の説明】
【００７２】
図面中、１は本体、２は本体ケース、３はトッププレート組立、４はトッププレート、６はファン装置、７は電気回路ユニット、８はロースタユニット（加熱庫）、１０は仕切板、１６は仕切体、２０はダクト、２１ａ，２１ｂは孔、２１ｃは端子台挿通部、２４，２５は防磁部材、２４ａ，２５ａは開口部、３０，３１は加熱コイル、３０ａ，３１ａは接続線、３６は連通部（送風孔）、３８は端子台用開口部、３９は中継端子台、４５は基板ケース、４６は回路基板、７０は端子台ベース、７１は端子板、７２は端子カバー、８０は接続線（電気回路ユニットの接続線）、８６はねじ（コイル接続部）、１００は電気部品、１００ａはスイッチング素子、１００ｂは放熱部材を示す。
【図１】
2011060494.tif 000003
【図２】
2011060494.tif 000004
【図３】
2011060494.tif 000005
【図４】
2011060494.tif 000006
【図５】
2011060494.tif 000007
【図６】
2011060494.tif 000008